(57)【要約】【課題】本発明は固定的な転倒防止携帯弁当箱を開示した。【解決手段】固定箱を含み、前記固定箱の中には上方に開口した固定チャンバが設けられ、押え板と固定バネによって料理ケースの左右両側が固定され、ねじ山ブロックの高さを調節し、第一吸盤が料理ケースを押さえ、押しブロックが押しバネによってスープケースを固定し、温機構の中の保温蓋が固定箱をかぶせ、食べ物を保温し、固定機構も補助機構も一定の固定能力を持ち、押しブロック、ねじ山ブロックと押し板によってスープケース、料理ケース及びライスケースを固定させ、弁当箱を携帯する途中に食べ物が転がらないように保証しする。【選択図】図１
2020175113.tif 000002
【特許請求の範囲】
【請求項１】
固定箱を含み、前記固定箱の中には上方に開口した固定チャンバが設けられ、前記固定チャンバの中には料理ケースとスープケースが設けられ、前記固定チャンバの中には前記料理ケースと前記スープケースを固定することができる固定機構も設けられ、前記固定機構の上方には前記固定箱を保温できる保温機構が設けられ、前記保温機構は保温蓋を含み、前記保温蓋の頂部端面には手提げロッドが固定的に取り付けられ、前記固定箱の下方には補助箱が設けられ、前記補助箱の中には補助チャンバが設けられ、前記補助チャンバの中にはライスケースが設けられ、前記補助チャンバの中には前記ライスケースを固定することができる補助機構が設けられ、前記補助機構は前記補助チャンバの両側に連通し設けられた重力チャンバを含み、前記重力チャンバの中には重力板がスライドできるように係合し取り付けられることを特徴とする固定的な転倒防止携帯弁当箱。
【請求項２】
前記固定機構は前記固定チャンバの左右両側に連通し設けられた押え板チャンバを含み、前記押え板チャンバの中には押え板がスライドできるように係合し取り付けられ、前記押え板と前記押え板チャンバとの間には固定バネが固定的に取り付けられ、前記押え板チャンバの上方には連結チャンバが連通し設けられ、前記連結チャンバの上方にはスライドチャンバが連通し設けられ、前記押え板の頂部端面の中にはねじ山ロッドが回転できるように係合し取り付けられ、前記ねじ山ロッドと前記スライドチャンバとがスライドできるように係合し取り付けられ、前記ねじ山ロッドにはハンドルが固定的に取り付けられ、前記押え板の中には上方に開口したスライド溝が設けられ、前記スライド溝の中にはスライドロッドがスライドできるように係合し取り付けられ、前記スライドロッドの頂部端面にはねじ山ブロックが固定的に取り付けられ、前記ねじ山ブロックの中にはねじ山溝が設けられ、前記ねじ山溝と前記ねじ山ロッドとがねじ山によって係合し取り付けられ、前記ねじ山ブロックの底部端面には第一吸盤が固定的に取り付けられ、前記料理ケースが左右の前記押え板の間に置かれており、前記スープケースが左右の前記ねじ山ブロックの頂部端面に置かれており、前記固定チャンバには押しチャンバが前後に対称的に連通し設けられ、前記押しチャンバの中には押しブロックがスライドできるように係合し取り付けられ、前記押しブロックと前記押しチャンバとの間には押しバネが固定的に取り付けられ、これにより押え板と固定バネによって料理ケースの左右両側が固定され、ハンドルを回し、ハンドルがねじ山ロッドを回転連動させ、ねじ山ブロックの高さを調節し、第一吸盤が料理ケースを押さえ、押しブロックが押しバネによってスープケースを固定することを特徴とする請求項１に記載の固定的な転倒防止携帯弁当箱。
【請求項３】
前記補助機構は前記固定箱の底部端面に固定的に取り付けられたねじ山板を含み、前記補助箱の中には第二ねじ山穴が設けられ、前記第二ねじ山穴と前記ねじ山板とがねじ山によって係合し取り付けられ、前記補助チャンバの底壁には固定台が固定的に取り付けられ、前記固定台の中には凹溝が左右に対称的に設けられ、前記凹溝の底壁と前記重力板の底部端面との間には第一バネが固定的に取り付けられ、前記重力板の底部端面と前記重力チャンバの底壁との間には第二バネが固定的に取り付けられ、前記重力チャンバの上方には移動チャンバが設けられ、前記移動チャンバの中には前記重力板の頂部端面に固定された移動ロッドがスライドできるように係合し取り付けられ、前記移動ロッドの前側端面には伝動ロッドが固定的に取り付けられ、前記移動チャンバの中にはプッシュチャンバが設けられ、前記プッシュチャンバの中には押し板がスライドできるように係合し取り付けられ、前記押し板の中には伝動溝が設けられ、前記伝動溝と前記伝動ロッドとがスライドできるように係合し取り付けられ、前記押し板には第二吸盤が固定的に取り付けられ、前記ライスケースが左右の前記重力板の頂部端面に置かれており、これによりライスケースが重力によって重力板を下に移動させ、移動ロッドを下に移動連動させ、移動ロッドが伝動ロッドによって両側の押し板を近接連動させてライスケースを固定することを特徴とする請求項１に記載の固定的な転倒防止携帯弁当箱。
【請求項４】
前記保温機構は前記保温蓋の中に設けられた第一ねじ山穴を含み、前記第一ねじ山穴と前記固定箱とがねじ山によって係合し取り付けられ、手提げロッドよって保温蓋を回転させ、固定箱をかぶせ、保温することができることを特徴とする請求項１に記載の固定的な転倒防止携帯弁当箱。
【発明の詳細な説明】
【技術分野】
【０００１】
本発明は弁当箱分野を取り上げて、具体的には固定的な転倒防止携帯弁当箱である。
【背景技術】
【０００２】
弁当箱は食べ物を携帯することに便利であり、広めに使用され、各種類の外出活動の欠かせない食器であり、現有の技術の中、一般的な弁当箱の内部は固定機能がなく、これにより弁当箱の中に置かれている食べ物が携帯の途中に転がりやすく、不便が生じ、そのほか、一般的な弁当箱は食べ物に対して保温機能がなく、食べ物が長時間の保存の後、冷たくなり、従って、固定機能を持ち、また食べ物を保温できる携帯弁当箱が必要とされる。
【先行技術文献】
【特許文献】
【０００３】
【特許文献１】中国特許出願公開第107495585号明細書
【発明の概要】
【発明が解決しようとする課題】
【０００４】
本発明の目的は固定的な転倒防止携帯弁当箱を提供し、それは上記の現在の技術中の問題を解決できる。
【課題を解決するための手段】
【０００５】
本発明の固定的な転倒防止携帯弁当箱は、固定箱を含み、前記固定箱の中には上方に開口した固定チャンバが設けられ、前記固定チャンバの中には料理ケースとスープケースが設けられ、前記固定チャンバの中には前記料理ケースと前記スープケースを固定することができる固定機構も設けられ、前記固定機構の上方には前記固定箱を保温できる保温機構が設けられ、前記保温機構は保温蓋を含み、前記保温蓋の頂部端面には手提げロッドが固定的に取り付けられ、前記固定箱の下方には補助箱が設けられ、前記補助箱の中には補助チャンバが設けられ、前記補助チャンバの中にはライスケースが設けられ、前記補助チャンバの中には前記ライスケースを固定することができる補助機構が設けられ、前記補助機構は前記補助チャンバの両側に連通し設けられた重力チャンバを含み、前記重力チャンバの中には重力板がスライドできるように係合し取り付けられる。
【０００６】
更の技術プラン、前記固定機構は前記固定チャンバの左右両側に連通し設けられた押え板チャンバを含み、前記押え板チャンバの中には押え板がスライドできるように係合し取り付けられ、前記押え板と前記押え板チャンバとの間には固定バネが固定的に取り付けられ、前記押え板チャンバの上方には連結チャンバが連通し設けられ、前記連結チャンバの上方にはスライドチャンバが連通し設けられ、前記押え板の頂部端面の中にはねじ山ロッドが回転できるように係合し取り付けられ、前記ねじ山ロッドと前記スライドチャンバとがスライドできるように係合し取り付けられ、前記ねじ山ロッドにはハンドルが固定的に取り付けられ、前記押え板の中には上方に開口したスライド溝が設けられ、前記スライド溝の中にはスライドロッドがスライドできるように係合し取り付けられ、前記スライドロッドの頂部端面にはねじ山ブロックが固定的に取り付けられ、前記ねじ山ブロックの中にはねじ山溝が設けられ、前記ねじ山溝と前記ねじ山ロッドとがねじ山によって係合し取り付けられ、前記ねじ山ブロックの底部端面には第一吸盤が固定的に取り付けられ、前記料理ケースが左右の前記押え板の間に置かれており、前記スープケースが左右の前記ねじ山ブロックの頂部端面に置かれており、前記固定チャンバには押しチャンバが前後に対称的に連通し設けられ、前記押しチャンバの中には押しブロックがスライドできるように係合し取り付けられ、前記押しブロックと前記押しチャンバとの間には押しバネが固定的に取り付けられる。
【０００７】
更の技術プラン、前記補助機構は前記固定箱の底部端面に固定的に取り付けられたねじ山板を含み、前記補助箱の中には第二ねじ山穴が設けられ、前記第二ねじ山穴と前記ねじ山板とがねじ山によって係合し取り付けられ、前記補助チャンバの底壁には固定台が固定的に取り付けられ、前記固定台の中には凹溝が左右に対称的に設けられ、前記凹溝の底壁と前記重力板の底部端面との間には第一バネが固定的に取り付けられ、前記重力板の底部端面と前記重力チャンバの底壁との間には第二バネが固定的に取り付けられ、前記重力チャンバの上方には移動チャンバが設けられ、前記移動チャンバの中には前記重力板の頂部端面に固定された移動ロッドがスライドできるように係合し取り付けられ、前記移動ロッドの前側端面には伝動ロッドが固定的に取り付けられ、前記移動チャンバの中にはプッシュチャンバが設けられ、前記プッシュチャンバの中には押し板がスライドできるように係合し取り付けられ、前記押し板の中には伝動溝が設けられ、前記伝動溝と前記伝動ロッドとがスライドできるように係合し取り付けられ、前記押し板には第二吸盤が固定的に取り付けられ、前記ライスケースが左右の前記重力板の頂部端面に置かれている。
【０００８】
更の技術プラン、前記保温機構は前記保温蓋の中に設けられた第一ねじ山穴を含み、前記第一ねじ山穴と前記固定箱とがねじ山によって係合し取り付けられる。
【発明の効果】
【０００９】
本発明は構造が簡単で、操作が便利であり、保温機構の中の保温蓋が固定箱をかぶせ、食べ物を保温し、食べ物の温度の下がる速度を緩め、固定機構も補助機構も一定の固定能力を持ち、押しブロック、ねじ山ブロックと押し板によってスープケース、料理ケース及びライスケースを固定させ、弁当箱を携帯する途中に食べ物が転がらないように保証し、普及価値がある。
【図面の簡単な説明】
【００１０】
【図１】図１は本発明の構成略図
【図２】図２は図１のＡ−Ａの断面構成略図
【図３】図３は図１のＢ−Ｂの断面構成略図
【図４】図４は図１のＣの拡大略図
【発明を実施するための形態】
【００１１】
以下、図１−４を合わせて本発明について詳しく説明し、また、説明の便利を図るため、下記に記載の上下左右前後方向が図１自身の投影関係の上下左右前後方向と一致することにする。
【００１２】
図１−４を参照し、本発明の固定的な転倒防止携帯弁当箱は、固定箱１７を含み、前記固定箱１７の中には上方に開口した固定チャンバ１１が設けられ、前記固定チャンバ１１の中には料理ケース４５とスープケース５０が設けられ、前記固定チャンバ１１の中には前記料理ケース４５と前記スープケース５０を固定することができる固定機構７０も設けられ、前記固定機構７０の上方には前記固定箱１７を保温できる保温機構９０が設けられ、前記保温機構９０は保温蓋１４を含み、前記保温蓋１４の頂部端面には手提げロッド１２が固定的に取り付けられ、前記固定箱１７の下方には補助箱２４が設けられ、前記補助箱２４の中には補助チャンバ３５が設けられ、前記補助チャンバ３５の中にはライスケース３２が設けられ、前記補助チャンバ３５の中には前記ライスケース３２を固定することができる補助機構８０が設けられ、前記補助機構８０は前記補助チャンバ３５の両側に連通し設けられた重力チャンバ２９を含み、前記重力チャンバ２９の中には重力板２７がスライドできるように係合し取り付けられる。
【００１３】
有益的には、前記固定機構７０は前記固定チャンバ１１の左右両側に連通し設けられた押え板チャンバ２１を含み、前記押え板チャンバ２１の中には押え板４２がスライドできるように係合し取り付けられ、前記押え板４２と前記押え板チャンバ２１との間には固定バネ２２が固定的に取り付けられ、前記押え板チャンバ２１の上方には連結チャンバ２０が連通し設けられ、前記連結チャンバ２０の上方にはスライドチャンバ１３が連通し設けられ、前記押え板４２の頂部端面の中にはねじ山ロッド１８が回転できるように係合し取り付けられ、前記ねじ山ロッド１８と前記スライドチャンバ１３とがスライドできるように係合し取り付けられ、前記ねじ山ロッド１８にはハンドル１６が固定的に取り付けられ、前記押え板４２の中には上方に開口したスライド溝４１が設けられ、前記スライド溝４１の中にはスライドロッド４３がスライドできるように係合し取り付けられ、前記スライドロッド４３の頂部端面にはねじ山ブロック１９が固定的に取り付けられ、前記ねじ山ブロック１９の中にはねじ山溝４４が設けられ、前記ねじ山溝４４と前記ねじ山ロッド１８とがねじ山によって係合し取り付けられ、前記ねじ山ブロック１９の底部端面には第一吸盤４６が固定的に取り付けられ、前記料理ケース４５が左右の前記押え板４２の間に置かれており、前記スープケース５０が左右の前記ねじ山ブロック１９の頂部端面に置かれており、前記固定チャンバ１１には押しチャンバ４８が前後に対称的に連通し設けられ、前記押しチャンバ４８の中には押しブロック４９がスライドできるように係合し取り付けられ、前記押しブロック４９と前記押しチャンバ４８との間には押しバネ４７が固定的に取り付けられ、これにより押え板４２と固定バネ２２によって料理ケース４５の左右両側が固定され、ハンドル１６を回し、ハンドル１６がねじ山ロッド１８を回転連動させ、ねじ山ブロック１９の高さを調節し、第一吸盤４６が料理ケース４５を押さえ、押しブロック４９が押しバネ４７によってスープケース５０を固定する。
【００１４】
有益的には、前記補助機構８０は前記固定箱１７の底部端面に固定的に取り付けられたねじ山板２３を含み、前記補助箱２４の中には第二ねじ山穴４０が設けられ、前記第二ねじ山穴４０と前記ねじ山板２３とがねじ山によって係合し取り付けられ、前記補助チャンバ３５の底壁には固定台３１が固定的に取り付けられ、前記固定台３１の中には凹溝３４が左右に対称的に設けられ、前記凹溝３４の底壁と前記重力板２７の底部端面との間には第一バネ３３が固定的に取り付けられ、前記重力板２７の底部端面と前記重力チャンバ２９の底壁との間には第二バネ２８が固定的に取り付けられ、前記重力チャンバ２９の上方には移動チャンバ３９が設けられ、前記移動チャンバ３９の中には前記重力板２７の頂部端面に固定された移動ロッド２６がスライドできるように係合し取り付けられ、前記移動ロッド２６の前側端面には伝動ロッド３６が固定的に取り付けられ、前記移動チャンバ３９の中にはプッシュチャンバ２５が設けられ、前記プッシュチャンバ２５の中には押し板３８がスライドできるように係合し取り付けられ、前記押し板３８の中には伝動溝３７が設けられ、前記伝動溝３７と前記伝動ロッド３６とがスライドできるように係合し取り付けられ、前記押し板３８には第二吸盤３０が固定的に取り付けられ、前記ライスケース３２が左右の前記重力板２７の頂部端面に置かれており、これによりライスケース３２が重力によって重力板２７を下に移動させ、移動ロッド２６を下に移動連動させ、移動ロッド２６が伝動ロッド３６によって両側の押し板３８を近接連動させてライスケース３２を固定する。
【００１５】
有益的には、前記保温機構９０は前記保温蓋１４の中に設けられた第一ねじ山穴１５を含み、前記第一ねじ山穴１５と前記固定箱１７とがねじ山によって係合し取り付けられ、手提げロッド１２よって保温蓋１４を回転させ、固定箱１７をかぶせ、保温することができる。
【００１６】
使用する時、押え板４２と固定バネ２２によって料理ケース４５の左右両側が固定され、ハンドル１６を回し、ハンドル１６がねじ山ロッド１８を回転連動させ、ねじ山ブロック１９の高さを調節し、第一吸盤４６が料理ケース４５を押さえ、押しブロック４９が押しバネ４７によってスープケース５０を固定し、ライスケース３２が重力によって重力板２７を下に移動させ、移動ロッド２６を下に移動連動させ、移動ロッド２６が伝動ロッド３６によって両側の押し板３８を近接連動させてライスケース３２を固定し、手提げロッド１２よって保温蓋１４を回転させ、固定箱１７をかぶせ、保温することができる。
【００１７】
本発明の有益効果は：本発明は構造が簡単で、操作が便利であり、保温機構の中の保温蓋が固定箱をかぶせ、食べ物を保温し、食べ物の温度の下がる速度を緩め、固定機構も補助機構も一定の固定能力を持ち、押しブロック、ねじ山ブロックと押し板によってスープケース、料理ケース及びライスケースを固定させ、弁当箱を携帯する途中に食べ物が転がらないように保証し、普及価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175113.tif 000003
【図２】
2020175113.tif 000004
【図３】
2020175113.tif 000005
【図４】
2020175113.tif 000006
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
固定箱を含み、前記固定箱の中には上方に開口した固定チャンバが設けられ、前記固定チャンバの中には料理ケースとスープケースが設けられ、前記固定チャンバの中には前記料理ケースと前記スープケースを固定することができる固定機構も設けられ、前記固定機構の上方には前記固定箱を保温できる保温機構が設けられ、前記保温機構は保温蓋を含み、前記保温蓋の頂部端面には手提げロッドが固定的に取り付けられ、前記固定箱の下方には補助箱が設けられ、前記補助箱の中には補助チャンバが設けられ、前記補助チャンバの中にはライスケースが設けられ、前記補助チャンバの中には前記ライスケースを固定することができる補助機構が設けられ、前記補助機構は前記補助チャンバの両側に連通し設けられた重力チャンバを含み、前記重力チャンバの中には重力板がスライドできるように係合し取り付けられ、
前記固定機構は前記固定チャンバの左右両側に連通し設けられた押え板チャンバを含み、前記押え板チャンバの中には押え板がスライドできるように係合し取り付けられ、前記押え板と前記押え板チャンバとの間には固定バネが固定的に取り付けられ、前記押え板チャンバの上方には連結チャンバが連通し設けられ、前記連結チャンバの上方にはスライドチャンバが連通し設けられ、前記押え板の頂部端面の中にはねじ山ロッドが回転できるように係合し取り付けられ、前記ねじ山ロッドと前記スライドチャンバとがスライドできるように係合し取り付けられ、前記ねじ山ロッドにはハンドルが固定的に取り付けられ、前記押え板の中には上方に開口したスライド溝が設けられ、前記スライド溝の中にはスライドロッドがスライドできるように係合し取り付けられ、前記スライドロッドの頂部端面にはねじ山ブロックが固定的に取り付けられ、前記ねじ山ブロックの中にはねじ山溝が設けられ、前記ねじ山溝と前記ねじ山ロッドとがねじ山によって係合し取り付けられ、前記ねじ山ブロックの底部端面には第一吸盤が固定的に取り付けられ、前記料理ケースが左右の前記押え板の間に置かれており、前記スープケースが左右の前記ねじ山ブロックの頂部端面に置かれており、前記固定チャンバには押しチャンバが前後に対称的に連通し設けられ、前記押しチャンバの中には押しブロックがスライドできるように係合し取り付けられ、前記押しブロックと前記押しチャンバとの間には押しバネが固定的に取り付けられ、これにより押え板と固定バネによって料理ケースの左右両側が固定され、ハンドルを回し、ハンドルがねじ山ロッドを回転連動させ、ねじ山ブロックの高さを調節し、第一吸盤が料理ケースを押さえ、押しブロックが押しバネによってスープケースを固定し、
前記補助機構は前記固定箱の底部端面に固定的に取り付けられたねじ山板を含み、前記補助箱の中には第二ねじ山穴が設けられ、前記第二ねじ山穴と前記ねじ山板とがねじ山によって係合し取り付けられ、前記補助チャンバの底壁には固定台が固定的に取り付けられ、前記固定台の中には凹溝が左右に対称的に設けられ、前記凹溝の底壁と前記重力板の底部端面との間には第一バネが固定的に取り付けられ、前記重力板の底部端面と前記重力チャンバの底壁との間には第二バネが固定的に取り付けられ、前記重力チャンバの上方には移動チャンバが設けられ、前記移動チャンバの中には前記重力板の頂部端面に固定された移動ロッドがスライドできるように係合し取り付けられ、前記移動ロッドの前側端面には伝動ロッドが固定的に取り付けられ、前記移動チャンバの中にはプッシュチャンバが設けられ、前記プッシュチャンバの中には押し板がスライドできるように係合し取り付けられ、前記押し板の中には伝動溝が設けられ、前記伝動溝と前記伝動ロッドとがスライドできるように係合し取り付けられ、前記押し板には第二吸盤が固定的に取り付けられ、前記ライスケースが左右の前記重力板の頂部端面に置かれており、これによりライスケースが重力によって重力板を下に移動させ、移動ロッドを下に移動連動させ、移動ロッドが伝動ロッドによって両側の押し板を近接連動させてライスケースを固定し、
前記保温機構は前記保温蓋の中に設けられた第一ねじ山穴を含み、前記第一ねじ山穴と前記固定箱とがねじ山によって係合し取り付けられ、手提げロッドよって保温蓋を回転させ、固定箱をかぶせ、保温することができることを特徴とする固定的な転倒防止携帯弁当箱。